(57)【要約】【課題】  予備苗枠の切替操作に要する労力や時間の軽減が図られると共に、傾斜地等で予備苗枠の姿勢変更を行い、機体の重心を移動させてバランスを取ることのできる苗移植機を提供する。【解決手段】  走行車体２の後部に、昇降リンク機構４を介して植付装置５を設け、走行車体２の前側に予備のマット苗を積載する予備苗載せ台６を上下複数段に積重ねる積層形態Ａと、前後に並べる展開形態Ｂに切替可能に構成した苗移植機において、昇降リンク機構４による植付装置５の昇降に連動して、予備苗載せ台６が積層形態Ａ及び展開形態Ｂに切り替わると共に、傾斜センサ７が走行車体２の前上り傾斜を検出すると共に、昇降センサ８が植付装置５が上昇位置にあることを検出しているときは、予備苗載せ台６を展開形態Ｂに切り替える駆動モータ９を設けて構成する。【選択図】  図３
2015223156.tif 000002
【特許請求の範囲】
【請求項１】
走行車体（２）の後部に、昇降リンク機構（４）を介して植付装置（５）を設け、該走行車体（２）の前側に予備のマット苗を積載する予備苗載せ台（６）を上下複数段に積重ねる積層形態（Ａ）と、前後に並べる展開形態（Ｂ）に切替可能に構成した苗移植機において、
前記昇降リンク機構（４）による植付装置（５）の昇降に連動して、前記予備苗載せ台（６）が積層形態（Ａ）及び展開形態（Ｂ）に切り替わることを特徴とする苗移植機の予備苗枠。
【請求項２】
前記走行車体（２）の前後傾斜を検出する傾斜センサ（７）を設け、前記植付装置（５）の昇降を検出する昇降センサ（８）を設けると共に、前記予備苗載せ台（６）を積層形態（Ａ）と展開形態（Ｂ）に切替える昇降シリンダ（３）または駆動モータ（９）を設け、前記傾斜センサ（７）が走行車体（２）の前上り傾斜を検出すると共に、前記昇降センサ（８）が植付装置（５）が上昇位置にあることを検出しているときは、前記予備苗載せ台（６）を展開形態（Ｂ）に切り替えることを特徴とする請求項１に記載の苗移植機の予備苗枠。
【請求項３】
前記予備苗載せ台（６）を積層形態（Ａ）と展開形態（Ｂ）に切り替える駆動モータ（９）を設け、該駆動モータ（９）を作動させて予備苗載せ台（６）が機体前側に位置する積層形態（Ａ）と機体後側に位置する後側展開形態（Ｃ）に切り替える切り替えスイッチ（１０）を設けたことを特徴とする請求項１または２に記載の苗移植機の予備苗枠。
【請求項４】
前記予備苗載せ台（６）を前側へ展開形態（Ｂ）に回動させると、前記走行車体（２）に設けるエンジン（１１）を始動させる始動補助機構（１２）を駆動させることを特徴とする請求項１から３のいずれか１項に記載の苗移植機の予備苗枠。
【請求項５】
前記予備苗載せ台（６）は、前記走行車体（２）の前部に設ける押えハンドル（１３）を前側へ回動操作すると、積層形態（Ａ）から前側下部に下る展開形態（Ｂ）に操作可能に構成したことを特徴とする請求項１から４のいずれか１項に記載の苗移植機の予備苗枠。
【請求項６】
前記予備苗載せ台（６）の苗受面の左右内側壁面には、後側ほど内側へ張出すように傾斜する傾斜面（１４）と、該傾斜面（１４）の後端を急角度に切り落した形態の戻り止面（１５）を形成したことを特徴とする請求項１から５のいずれか１項に記載の苗移植機の予備苗枠。
【発明の詳細な説明】
【技術分野】
【０００１】
この発明は，苗移植機車体の前部にマット苗を搭載の予備苗枠を配置して、この予備苗枠を上下積層形態にしたり、前後方向に並べる展開形態に切替えて、重いマット苗の積込、収容搭載して運搬し易くしたり、各予備苗載せ台からマット苗を取出しながら植付装置部に対する苗補給を行い易くする。
【背景技術】
【０００２】
前記苗移植機車体にマット苗を予め搭載しておく、予備苗枠を、積層形態や、展開形態等に切替操作する技術（例えば、特許文献１参照）が知られている。
【先行技術文献】
【特許文献】
【０００３】
【特許文献１】特開２０１３−２４３９４６号公報
【発明の概要】
【発明が解決しようとする課題】
【０００４】
前記従来の技術では、予備苗枠を手動操作で移動させていたので、作業者の操作力、操作時間を要して、作業能率を低下させる。また、補助の出入口等の傾斜地では、苗移植機の重心移動が大きく急激であるため、手動操作では対応し難い。
【課題を解決するための手段】
【０００５】
請求項１に記載の発明は、走行車体（２）の後部に、昇降リンク機構４を介して植付装置（５）を設け、該走行車体（２）の前側に予備のマット苗を積載する予備苗載せ台（６）を上下複数段に積重ねる積層形態（Ａ）と、前後に並べる展開形態（Ｂ）に切替可能に構成した苗移植機において、前記昇降リンク機構４による植付装置（５）の昇降に連動して、前記予備苗載せ台（６）が積層形態（Ａ）及び展開形態（Ｂ）に切り替わることを特徴とする苗移植機の予備苗枠の構成とする。
【０００６】
苗移植機を走行運転して植付装置（５）による苗の植付作業を行うときは、予めマット苗を搭載している予備苗載せ台（６）は上下方向に高く積載された積層形態（Ａ）にあって、車体（２）の後側には、昇降リンク機構４によって植付装置（５）が下降し、土壌面上に下降されて苗植付作業を行う苗植付作業状態にある。該植付装置（５）に供給した苗が作業によって減少すれば、運転者は機体前側部の予備苗載せ台（６）に積載した予備のマット苗を取り出して、後側の植付装置（５）に補充して、苗の植付作業を継続する。
【０００７】
また、苗の植付作業の後、植付装置（５）を上昇させておき、走行車体（２）を単に走行移動させるときは、昇降リンク機構４を介して植付装置（５）を非苗の植付作業姿勢となるまで上昇させ、走行移動を行い易くする。
【０００８】
そして、この昇降リンク機構４による植付装置（５）の上昇に連動して、積層形態（Ａ）にある予備苗載せ台（６）を一部前側へ移動させることにより、前後並びの展開形態（Ｂ）に切替移動することができる。
【０００９】
さらに、前記予備苗載せ台（６）の展開形態（Ｂ）から直ちに苗の植付作業の開始姿勢に移行するときは、植付装置（５）を昇降リンク機構（３）の作動によって苗の植付作業状態へ下降させることによって、これに連動して予備苗載せ台（６）が展開形態（Ｂ）から積層形態（Ａ）に移動させて、苗の植付作業に適した形態とすることができる。
【００１０】
請求項（２）に記載の発明は、前記走行車体（２）の前後傾斜を検出する傾斜センサ（７）を設け、前記植付装置（５）の昇降を検出する昇降センサ（８）を設けると共に、前記予備苗載せ台（６）を積層形態（Ａ）と展開形態（Ｂ）に切替える昇降シリンダ（３）または駆動モータ（９）を設け、前記傾斜センサ（７）が走行車体（２）の前上り傾斜を検出すると共に、前記昇降センサ（８）が植付装置（５）が上昇位置にあることを検出しているときは、前記予備苗載せ台（６）を展開形態（Ｂ）に切り替えることを特徴とする請求項１に記載の苗移植機の予備苗枠とする。
【００１１】
苗移植機が圃場を走行して苗の植付作業を行うときは、昇降リンク機構４による植付装置（５）を昇降駆動力を利用して、前記予備苗載せ台（６）を積層形態（Ａ）と展開形態（Ｂ）とに切り替えることができる。
【００１２】
また、畦越えして圃場に出入りする場合等において、走行車体（２）が前後方向に大きく傾斜したときは、傾斜センサ（７）がこの傾斜を検出する。このとき、植付装置（５）の昇降位置が、昇降センサ（８）によって上昇位置にあると検出されると、積層形態（Ａ）にある予備苗載せ台（６）を、昇降リンク機構４の昇降動作、または駆動モータ（９）の作動によって、機体前側へ移動させて展開形態（Ｂ）へ切えい替える。これにより、走行車体（２）が前上り傾斜で、且つ後部の植付装置（５）が上昇位置乃至上昇位置と同様の形態にあるときは、前記予備苗載せ台（６）を走行車体（２）の前側に移動させて展開形態（Ｂ）に切り替え、機体の前後重量バランスを図ることによって、機体走行の安全な姿勢を維持する。
【００１３】
請求項３に記載の発明は、前記予備苗載せ台（６）を積層形態（Ａ）と展開形態（Ｂ）に切り替える駆動モータ（９）を設け、該駆動モータ（９）を作動させて予備苗載せ台（６）が機体前側に位置する積層形態（Ａ）と機体後側に位置する後側展開形態（Ｃ）に切り替える切り替えスイッチ（１０）を設けたことを特徴とする請求項１または２に記載の苗移植機の予備苗枠とする。
【００１４】
苗移植機は、苗の植付作業時のように、圃場内では前記植付装置（５）を昇降する昇降リンク機構４の昇降動作によって、そして、圃場に出入りするときは、前記昇降リンク機構４または駆動モータ（９）によって、予備苗載せ台（６）を積層形態（Ａ）から展開形態（Ｂ）に切替移動させることができるが、この予備苗載せ台（６）を後側へ移動させて後側展開形態（Ｃ）に切り替えるときは、前記切替スイッチ（１０）を操作して前記駆動モータ（９）を作動させる。
【００１５】
このように、予備苗載せ台（６）を前側の展開形態（Ａ）、又は積層形態（Ｂ）の位置から後側展開形態（Ｃ）に切替移動することによって、これら展開形態（Ｂ）または積層形態（Ａ）で載置したマット苗や、肥料袋等の作業資材を予備苗載せ台（６）の上面に載せて、前後方向へ搬送案内することができ、作業能率を高めることができる。
【００１６】
請求項４に記載の発明は、前記予備苗載せ台（６）を前側へ展開形態（Ｂ）に回動させると、前記走行車体（２）に設けるエンジン（１１）を始動させる始動補助機構（１２）を駆動させることを特徴とする請求項１から３のいずれか１項に記載の苗移植機の予備苗枠とする。
【００１７】
前記予備苗載せ台（６）は、手動操作またはスイッチ操作による電動モータ（９）で、前後方向へ移動させて積層形態（Ａ）から前側の展開形態（Ｂ）へ移動することができるが、このとき予備苗載せ台（６）の展開形態（Ｂ）への移動に連動して、始動補助機構（１２）を駆動して、走行車体（２）のエンジン（１１）を起動する。
【００１８】
請求項５に記載の発明は、前記予備苗載せ台（６）は、前記走行車体（２）の前部に設ける押えハンドル（１３）を前側へ回動操作すると、積層形態（Ａ）から前側下部に下る展開形態（Ｂ）に操作可能に構成したことを特徴とする請求項１から４のいずれか１項に記載の苗移植機の予備苗枠とする。
【００１９】
予備苗載せ台（６）を手動操作で展開形態（Ｂ）へ移動するときは、作業者が車体（２）前端部の押さえハンドル（１３）を前側へ回動操作することによって、積層形態（Ａ）から展開形態（Ｂ）に切り替えることができる。
【００２０】
請求項６に記載の発明は、前記予備苗載せ台（６）の苗受面の左右内側壁面には、後側ほど内側へ張出すように傾斜する傾斜面（１４）と、該傾斜面（１４）の後端を急角度に切り落した形態の戻り止面（１５）を形成したことを特徴とする請求項１から５のいずれか１項に記載の苗移植機の予備苗枠とする。
【００２１】
前記のように予備苗載せ台（６）を展開形態（Ｂ）に切り替えて走行車体（２）の前側へ張り出させて、この予備苗載せ台（６）の前端部上面からマット苗を載せて、後側へ摺動させて後部の予備苗載せ台（６）上面へ載置案内させる。
【００２２】
このマット苗の摺動案内では、マット苗の左右両側面がこの予備苗載せ台（６）の左右内側壁面の傾斜面（１４）に案内されて、予備苗載せ台（６）の左右幅の中央部寄りとなる位置に案内されながら予備苗載せ台（６）の後部面上へ移される。
【００２３】
この走行車体（２）の前側から供給されるマット苗の手前側端部である，マット苗前端面が傾斜面（１４）の後端を通過すると、この後端面の左右両端部が傾斜面（１４）後端の戻り突起部後側の戻り止面（１５）に係止されて、マット苗の前側への移動が停止される。苗移植機の走行、停止等の状態や、予備苗載せ台（６）の傾斜、揺動状態等の如何に拘わらず、予備苗載せ台（６）に対するマット苗の搭載供給を、円滑且つ正確に行わせる。
【発明の効果】
【００２４】
請求項１に記載の発明は、植付装置（５）を昇降する昇降リンク機構（３）によって昇降リンク機構４を上昇させると、予備苗載せ台（６）が前後並びの展開形態（Ｂ）に切替わることにより、走行車体（２）を補助端の畦際まで移動させると、予備苗載せ台（６）が圃場の外側へ突出させることができ易く、マット苗の積込補給搭載の作業を行い易くする。
【００２５】
また、植付装置（５）を上昇させて苗植付作業を中断すると、これと同時に予備苗載せ台（６）が展開形態（Ｂ）に切替えることにより、作業者が予備苗載せ台（６）の姿勢切替操作をいちいち行う必要はなく、作業者の労力を軽減し、迅速で効率的作業操作を行うことができる。
【００２６】
そして、植付装置（５）を下降させると、予備苗載せ台（６）が積層形態（Ａ）に切替わることにより、苗植付作業に戻る際に作業者が予備苗載せ台（６）の切替操作を行う必要がなく、省力化できる。
【００２７】
さらに、予備苗載せ台（６）のマット苗受姿勢を積層形態（Ａ）と展開形態（Ｂ）とに切替える操作は、苗の植付作業時において常時行われるものではなく、予備苗載せ台（６）上のマット苗が無くなったときにおいて行われるものであるから、この苗受姿勢を切替えを行うときにおいてのみ選択して、前記植付装置（５）の昇降と連動して苗受姿勢の切替えを行わせるように選択機構を設けることにより、簡単な構成、操作によって迅速、的確に予備苗載せ台（６）の苗受姿勢を選択することができる。
【００２８】
請求項２に記載の発明は、請求項１に記載の発明の効果に加えて、走行車体（２）が前上り姿勢に傾斜したことを傾斜センサ（７）が検出すると共に、植付装置（５）が所定以上に上昇したことを昇降センサ（８）が検出すると、昇降リンク機構４または駆動モータ（９）が作動して、予備苗載せ台（６）を展開形態（Ｂ）に切り替えることができる。
【００２９】
これにより、走行車体（２）が、例えば圃場から畦越えして出るときのようには、大きく前上り傾斜姿勢になるが、このとき走行車体（２）の前側上部位置に展開形態（Ｂ）の予備苗載せ台（６）の前部が伸び出すため、苗移植機体としての重心位置が前部、畦上部側へ変位して、走行車体（２）の前上り姿勢傾向を抑制し、安定した安全姿勢で畦越え走行することができる。
【００３０】
請求項３に記載の発明は、請求項１または２に記載の発明の効果に加えて、予備苗載せ台（６）を積層形態（Ａ）の前方位置の展開形態（Ｂ）から後方位置の後側展開形態（Ｃ）に亘って大きく前後方向へ移動させるときは、切替スイッチ（１０）を操作して駆動モータ（９）を駆動させ、予備苗載せ台（６）の移動停止位置を操作することにより、遠隔操作位置から簡単、容易に制御操作することができ、操作性が向上する。
【００３１】
また、予備苗載せ台（６）の前後方向移動行程を長くすることができ、マット苗や、肥料袋等の作業資材の植付装置（５）の苗タンクに対するマット苗補給や、車体（２）後部上の施肥タンクに対する肥料補給等を、容易且つ迅速に行うことができ、苗の植付作業能率を向上し、作業労力を軽減することができる。
【００３２】
そして、構成においても予備苗載せ台（６）自体を資材運搬用のキャリアとして利用することができるので、取り扱い易い形態とすることができる。
請求項４に記載の発明は、請求項１から３のいずれか１項に記載の発明の効果に加えて、エンジン（１１）を停止した状態で、予備苗載せ台（６）を手動または駆動モータ（９）で前後方向へ移動させて、展開形態（Ｂ）に切替えるときは、この操作によって始動補助装置（１２）を作動させてエンジン（１１）を起動しやすくすることができるので、エンジン（１１）の起動を早めることにより、特に気温が低いときは、暖気運転を十分に維持して、苗移植機の作業走行を早く開始することができ、作業能率を高めることができる。
【００３３】
請求項５に記載の発明は、請求項１から４のいずれか１項に記載の発明の効果に加えて、走行車体（２）の前端部を押える押えハンドル（１３）を機体前側へ回動して押えることにより、予備苗載せ台（６）を前側へ移動させて展開形態（Ｂ）とすることにより、補場の畦際出入り口等の傾斜地で、この押えハンドル（１３）を使用することができ、この押えハンドル（１３）の押え操作と、走行車体（２）の前部上に予備苗載せ台（６）の重心位置を移動することによって、この傾斜地での走行車体（２）の移動を円滑に、安定姿勢で行わせることができる。
【００３４】
請求項６に記載の発明は、請求項１から５のいずれか１項に記載の発明の効果に加えて、予備苗載せ台（６）の左右両側面に傾斜面（１４）と、この傾斜面（１４）の奥端部に戻り止め面（１５）を形成して、マット苗の滑り込みを案内するものであるから、予備苗載せ台（６）上面でのマット苗の積み込み移動時の、左右揺動を規制案内して、安定したマット苗収容姿勢を保持することができ、一旦戻り止め面（１５）部を越えて後側部へ供給案内したマット苗は、予備苗載せ台（６）面が前下り傾斜揺動しても、前側への逆戻りを防止することができ、正確な位置にマット苗を収容支持することができ、後続のマット苗の取出操作を行い易くすることができる。
【図面の簡単な説明】
【００３５】
【図１】苗移植機の側面図
【図２】苗移植機の平面図
【図３】昇降リンク機構と予備苗枠との連動関係を示す側面図
【図４】昇降リンク機構部の拡大側面図
【図５】予備苗枠の積層形態を示す側面図
【図６】予備苗枠の展開形態を示す側面図
【図７】駆動モータで切替える場合の予備苗枠の展開形態を示す側面図
【図８】駆動モータ部の拡大側面図
【図９】（ａ）予備苗枠の切替作動状態を示す側面図、（ｂ）予備苗枠の切替部分を示す要部拡大図
【図１０】予備苗枠の切替作動状態を示す平面図
【図１１】押えハンドルで切替操作するときの予備苗枠の積層形態を示す側面図
【図１２】押えハンドル部の拡大側面図
【図１３】（ａ）予備苗載せ台のマット苗の積載状態を示す平面図、（ｂ）予備苗載せ台のマット苗の戻り防止作用を示す平面図
【図１４】予備苗枠部の旋回状態を示す平面図
【図１５】予備苗枠の支持構成例を示す正面図
【図１６】予備苗枠の側面図
【発明を実施するための形態】
【００３６】
図面に基づいて、苗移植機は、高床乗用四輪走行形態の走行車体２の後側に、昇降リンク機構３の油圧伸縮によって昇降回動される平行リンク形態の昇降リンク機構４を介して、代掻ロー夕２０や、土壌面を滑走均平するフロート２１、このフロート２１の上側に支持される伝動ケース等からなる苗移植機体２２、この機体２２の上部に支持される苗タンク２３、及び、機体２２の後側下部にあってダブルクランク機構形態に回転してマット苗を分離保持して土壌面へ植付ける植付装置２４等によって構成される多条植形態の植付装置５を装着し、走行車体２の運転席１の後側部には、施肥ホッパー２５、肥料繰出装置２６、施肥風呂亜２７、及び繰出された肥料を施肥ブロア２７からの送風によって搬送して、前記フロート２１により均平された苗植付位置近傍の土壌面に施肥案内する施肥ホース２８等からなる施肥装置２９を、走行車体２後部のリヤフレーム３０上に装着している。
【００３７】
前記走行車体２の運転席１の下部には、エンジンカバー３１下にエンジンルームを形成して、走行駆動用のエンジン１１を搭載し、この運転席１の前方部にステアリングボード３２、及びステアリングハンドル３３、その他苗移植機運転操作のための操作具３４等を配置している。
【００３８】
前記運転席１、ステアリングボード３２、及びこれらの間のセンタフロア３５等の左右両側部には、走行車体２の前端部から後端部上のフェンダー３６部に亘って一連に長く、かつ横幅広く形成のサイドフロア３７を形成し、運転、作業者がこのサイドフロア３７上面を前後に広く移動してマット苗補給作業や、肥料補給作業等を行い易く構成している。
【００３９】
走行車体２の前端部上には、サイドフロア３７の外側部に位置して、苗載せ支持枠３８を設けて、上部の苗棚支持ベース１６の上側部に複数段の予備苗載せ台６を支持構成している。走行車体２前端中央部には、押え軸３９周りに、前側へ適宜角度回動できる押えハンドル１３を設け、このハンドル１３上には方向視針用のセンタマーカ４０を立設している。
【００４０】
前記エンジン１１の前側には、ミッションケース４１、油圧無段変速装置４２等を設けて、エンジン１１から伝動を受けて、左右前輪４３の前車軸４４や、左右後輪４５の後車軸４６を伝動する連動軸４７、及びＰＴＯ軸４８等を伝動回転する。このＰＴＯ軸４８によって、前記植付装置５の苗タンク２３や、植付装置２４、及び施肥装置２９等を連動し、又、連動軸４７を経て後輪４５と代掻ロー手２０を伝動回転する。
【００４１】
前記昇降リンク機構３は、エンジン１１によって駆動回転される油圧ポンプ回路から給排される油圧力によって伸縮されるもので、この伸縮によって、リフトアーム４９をリヤフレーム３０のアーム軸５０周りに前後回動して、このリヤフレーム３０に連結している昇降リンク機構４を昇降回動し、この後端部リンクヒッチ５１に装着される植付装置５を平行姿勢を維持して昇降させることができる。前記昇降リンク機構３の伸縮は、前記運転席１横側の操作具５２によって油圧回路の切替弁を操作して作動することができるが、前記フロート２１の中央部のセンタフロートが、土壌面を滑走するときの圧力を受けて、上下揺動して土壌面の深さや、凹凸面の変化を検出することができる。植付装置５が沈下して、このセンタフロート２１の仰角が所定角以上に大きくなると、これに連動して前記油圧回路の切替弁を切替えて植付装置５を上昇するように連動して、苗植深さを浅くするように制御する、あるいは逆に、フロート２１の仰角が所定角以下に小さくなると、切替弁を切替えて植付装置５を下降するように連動して、苗植深さを深くするように制御して、土壌面の深さや、状態等に拘らず、苗植付深さを略一定に維持するように、植付深さ制御を行う形態としている。
【００４２】
主として，図３〜図６において、前記予備苗載せ台６の積層形態Ａと展開形態Ｂとの切替と、前記昇降リンク機構３による昇降リンク機構４の昇降作動との連動関係を説明する。前記左右両側部の各予備苗載せ台６は、方形状マット苗床形態に育苗されたマット苗を載せることができるプレート状形態で、前記苗載せ台支持ベース１６の上側において，上下一対の棚桟６０、６１によって上下二段に支持される。下側の苗載せ台支持ベース１６（乃至下棚桟６１部）から上方に前後一対の平行リンク６２が立設されて、この平行リンク６２の上端部間に亘って上側の上棚桟６０が支持される。
【００４３】
この平行リンク６２を苗載せ台支持ベース１６に対して前後に回動することによって、上棚桟６０を下棚桟６１上面と平行状態を保持して前後に回動することができ、後側上部位置に回動したときは、上棚桟６０が下棚桟６１上方適宜高さ間隔に位置して、積層形態Ａとなり、前側下部位置に回動したときは、上棚桟６０が下棚桟６１の前側延長面上に位置して、前後水平状面に沿って並ぶ展開形態Ｂとなる。この展開形態Ｂでは、この上棚桟６１上に支持させている予備苗載せ台６の後端が、下棚桟６１上に支持させる予備苗載せ台６の前端部に接近、乃至連接した状態になって、マット苗の底面を受ける苗受棚面６３が、下棚桟６１の棚面６４の前方へ延長突出された形態となり、略同じ高さ面に維持される。
【００４４】
このような昇降リンク機構３と、予備苗載せ台６の前後移動を連動ワイヤー５５を連結して行わせる形態としている。連動ワイヤー５５の基端部の長穴５７をリフトアーム４９のピン５６に嵌合させて、昇降リンク機構３を伸縮してリフトアーム４９、及び昇降リンク機構４をアーム軸５０周りに昇降回動することにより、ワイヤー５５を引っ張ったり、緩めたりすることができる。
【００４５】
また、この連動ワイヤー５５の先端部は、上棚桟６０を支持する平行リンク６２の下端部リンクピン６５近くのブラケットピン６６にスプリング６７を介して連結している。前記昇降リンク機構３側から連動ワイヤー５５を引っ張ることによって、平行リンク６２を前側へ回動して、展開形態Ｂに切替えることができる。
【００４６】
前記苗載せ支持枠３８の後端部と、平行リンク６２のブラケットピン６６との間には、戻しスプリング６８を設けて、平行リンク６２を後方回動するように付勢して、積層形態Ａでの平行リンク６２機構が、振動、揺動し難い構成としている。
【００４７】
また、この戻しスプリング６８は、展開状態Ｂで、昇降リンク機構４が下降したときに平行リンク６２を後方へ引っ張り、積層形態Ａへの切替作動を行い易く補助する。
前記下段部の予備苗載せ台６と、これを受ける苗載せ支持枠３８の上面との間に、前後摺動自在の棚桟６１が構成されて、この移動によって下段部の予備苗載せ台６の前端部を展開形態Ｂの予備苗載せ台６の後端部に連接して、前後予備苗載せ台６相互間の接続を円滑にし、正確に維持させることができる。
【００４８】
この棚桟６１のロックピン６９に、前記苗載せ支持枠３８のピン７０周りに揺動自在に保持させたロックフック７１を係合させて、前記昇降リンク機構４が昇降する際に棚桟６１の前後移動を規制することができる。
【００４９】
前記のように、ロックピン６９にロックフック７１を係合させて、棚桟６１の移動を行わせないようにロックするので、マット苗の補充作業を行わないときに、予備苗載せ台６が切替えることなく、マット苗の落下や、補助苗店６が障害者物に接触することが防止される。
【００５０】
また、前記ロックフック７１を係合しているとき、昇降リンク機構４の上下回動に伴って、連動ワイヤー５５が引っ掛っても、これをスプリング６７力で吸収することにより、ワイヤー５５の損傷、予備苗載せ台６の強制的切替移動を防止して、耐久性を向上することができる。前記上側の予備苗載せ台６を支持する苗桟６０の後端側部には，ハンドル５９を設けて，手動操作で前後方向へ移動することができる。
【００５１】
ここにおいて，この予備苗枠は，運転席１を有した走行車体２の後部に、昇降リンク機構３により昇降可能の昇降リンク機構４を介して多条植形態の植付装置５を連結し、前部には、マット苗搭載用の予備苗載せ台６を上下複数段に積重ねる積層形態Ａと、前後に並べる展開形態Ｂとに切替可能にして構成する苗移植機において、前記昇降リンク機構３による植付装置５の昇降に連動して、前記予備苗載せ台６を積層形態Ａ、及び展開形態Ｂに切替可能に設ける構成とする。
【００５２】
苗移植機を走行運転して植付装置５による苗の植付作業を行うときは、予めマット苗を搭載している予備苗載せ台６は上下方向に高く積載された積層形態Ａにあって、走行車体２の後側には、昇降リンク機構３の作動で下降された昇降リンク機構４を介して植付装置５が、土壌面上に下降されて苗植付作業を行う苗植付作業状態にある。植付装置５に供給した苗が作業によって減少すれば、運転者が前側部の予備苗載せ台６上面のマット苗を取出して、後側の植付装置５へ運んで挿填して、苗の植付作業を継続する。
【００５３】
そして、苗の植付作業が終って植付装置５を上昇して苗移植機を単に走行移動するときは、この植付装置５を昇降リンク機構３の作動によって、昇降リンク機構４を介して上昇して、植付装置５を非苗の植付作業姿勢として走行移動を行い易くする。
【００５４】
また、この昇降リンク機構３による植付装置５の上昇に連動して、積層形態Ａにある予備苗載せ台６を一部前側へ移動させて前後並びの展開形態Ｂに切替移動することができる。
【００５５】
さらに、前記予備苗載せ台６の展開形態Ｂから直ちに苗の植付作業の開始姿勢に移行するときは、植付装置５を昇降リンク機構３の作動によって苗の植付作業状態へ下降させることによって、これに連動して予備苗載せ台６が展開形態Ｂから積層形態Ａに移動させて、苗の植付作業を行うに適した形態となる。
【００５６】
そして，前記苗移植機には、前記走行車体２の前後傾斜を検出する傾斜センサ７と、前記植付装置５の昇降を検出する昇降センサ８と、前記予備苗載せ台６を積層形態Ａと展開形態Ｂとに切替える昇降リンク機構３、又は駆動モータ９とを設けて、前記走行車体２が前上り傾斜して、植付装置５が上昇位置にあるときは、前記予備苗載せ台６を展開形態Ｂに作動させる。
【００５７】
苗移植機が圃場土壌面を走行して苗の植付作業を行う場合は、前記のように昇降リンク機構３の伸縮作動による植付装置５を昇降する駆動力を利用連動して、前記予備苗載せ台６を積層形態Ａと展開形態Ｂとに切替えることができる。
【００５８】
また、畦越えして圃場に出入りする場合等において、走行車体２が前後方向に大きく傾斜するときは、傾斜センサ７によって傾斜を検出する。このとき、植付装置５の昇降位置が、昇降センサ８によって上昇位置にあることを検出すると、積層形態Ａにある予備苗載せ台６を、昇降リンク機構３の作動、又は駆動モータ９の作動によって、前側へ移動させて展開形態Ｂへ切替える。
【００５９】
これによって、走行車体２が前上り傾斜で、後部の植付装置５が上昇位置，乃至上昇位置と同様の形態にあるときは、前記予備苗載せ台６を走行車体２前側へ移動させて展開形態Ｂにして、苗移植機体は前後重量バランスを図ることによって、機体走行の安全な姿勢を維持する。
【００６０】
また，前記予備苗載せ台６を、積層形態Ａと、展開形態Ｂとに切替可能に設けると共に、切替スイッチ１０の操作、及び駆動モータ９の回転により前記積層形態Ａから後側に並べる後側展開形態Ｃに切替可能に設ける。
【００６１】
苗移植機は、前記のように苗の植付作業時のように圃場内では、前記植付装置５を昇降する昇降リンク機構３の作動によって、あるいは圃場に出入りするときは、前記昇降リンク機構３、又は駆動モータ９等によって、予備苗載せ台６を積層形態Ａから展開形態Ｂへ切替移動させることができるが、この予備苗載せ台６を後側へ移動させて後側展開形態Ｃに切替えるときは、前記切替スイッチ１０を操作するか、前記駆動モータ９を駆動して、予備苗載せ台６を後側へ展開移動させて、後側展開形態Ｃへ切替える。
【００６２】
このように、予備苗載せ台６を前側の展開形態Ａ、又は積層形態Ｂの位置から後側展開形態Ｃへ切替移動することによって、これら展開形態Ｂ、又は積層形態Ａで載置したマット苗や、肥料袋等の作業資材を予備苗載せ台６上面に載せて、前後方向へ搬送，案内することができ、作業性を高めることができる。
【００６３】
また，前記予備苗載せ台６を前側へ展開形態Ｂに回動することにより、走行車体２のエンジン１１の始動用のセルスタータ１２を駆動可能に設ける。
前記予備苗載せ台６は手動操作、又はスイッチ操作による電動モータ９で、前後方向へ移動させて積層形態Ａから前側の展開形態Ｂへ移動することができるが、このとき予備苗載せ台６の展開形態Ｂへの移動に連動して、セルモータ１２を駆動して、走行車体２のエンジン１１を起動する。
【００６４】
また、前記予備苗載せ台６は、走行車体２前端部に設置の押えハンドル１３を前側へ回動操作することによって、積層形態Ａから前側下部の展開形態Ｂへ操作可能に構成する。
予備苗載せ台６を手動操作で展開形態Ｂへ移動するときは、作業者が走行車体２前端部の押さえハンドル１３を前側へ回動操作することによって、積層形態Ａから展開形態Ｂへ切替えることができる。
【００６５】
更には，前記予備苗載せ台６の苗受面の左右内側壁面には、後側ほど内側へ張出すように傾斜する傾斜面１４と、この傾斜面１４の後端を急角度に切り落した形態の戻り止面１５を形成して、マット苗の左右両側面を案内する構成とする。
【００６６】
前記のように予備苗載せ台６を展開形態Ｂにして、走行車体２の前側へ張出させて、この予備苗載せ台６の前端部上面からマット苗を載せて、後側へ摺動させて後部の予備苗載せ台６上面へ載置案内させる。このマット苗の摺動案内では、マット苗の左右両側面がこの予備苗載せ台６の左右内側壁面の傾斜面１４に案内されて、予備苗載せ台６幅の中央部寄りへ案内されながら予備苗載せ台６の後部面上へ移される。
【００６７】
この走行車体２の前側から供給されるマット苗の手前側端部である，マット苗前端面が傾斜面１４の後端を通過すると、この後端面の左右両端部が傾斜面１４後端の戻り突起部後側の戻り止面１５に係止されて、マット苗の前側への移動が停止される。苗移植機の走行、停止等の状態や、予備苗載せ台６の傾斜、揺動状態等の如何に拘わらず、予備苗載せ台６に対するマット苗の搭載供給を、円滑に、正確に行わせる。
【００６８】
次に、主として図７、図８において、走行車体２の前後傾斜を検出する傾斜センサ７や、植付装置５の昇降位置を検出する昇降センサ８、又は、切替スイッチ１０の操作等で駆動モータ９を駆動することによって、予備苗載せ台６を積層形態Ａから、前側展開形態Ｂ、又は後側展開形態Ｃ等へ切替える構成としたものである。
【００６９】
前記下側の予備苗載せ台６を支持する苗店支持枠３８の下部に電動ギヤドモータ形態からなる駆動モータ９を設けて、このギヤ７５により、前記平行リンク６２のリンク(ピン)軸６５のギヤ７６を回動させて、この平行リンク６２上側部に支持される予備苗載せ台６を、積層形態Ａと、前側、後側展開形態Ｂ、Ｃとに切替回動できる。前記平行リンク６２の回動域に接近する支持枠３８部には、予備苗載せ台６の積層形態Ａ位置を係止するストッパー７２を設けている。後側展開形態Ｃ域へ回動するときは、このストッパー７２を引っ込めて作用させない。
【００７０】
また、図９（ａ）（ｂ）、図１０において、前記予備苗載せ台６の切替移動に伴って、エンジン１１のセルスタータを連動する。図例では、平行リンク６２を前後回動することにより、扇形ギヤ７６を介してピニオンギヤ７５を回転し、このギヤ７５と一体回転するリール７７で、セルスタータ１２のロープ、又はワイヤー７８を巻き取って、エンジン１１を起動することができる。
【００７１】
そして、図１１、図１２において、前記押えハンドル１３を押えハンドル１３を押え軸３９周りに前側へ回動することによって、押えハンドル１３と一体のアーム７７に連結したワイヤー５５を引っ張って、平行リンク６２を前側へ回動させて予備苗載せ台６を積層形態Ａと展開形態Ｂとに切替ることができる。前記押えハンドル１３は、走行車体２前端部のブラケット７８の先端部に押え軸３９によって取付けられて、この押えハンドル３９を前側へ所定角度回動操作することにより、走行車体２の前端部の浮上を防止することができ、畦際等の傾斜面を出入り走行するときに利用される。前記アーム７７の回動には、ロックフック７９が係合される。
【００７２】
このロックフック７９は、基部を走行車体２側のピン８０周りに回動自在に設け、先端部を前記ワイヤー５５を連結するピン８１に手動で係合することができる。このロックフック７９をピン８１に係合させたときは、押えハンドル１３を前側へ回動することができないし、又、予備苗載せ台６を積層形態Ａから展開形態Ｂへ切替えることができない牽制状態にある。
【００７３】
また、図１３（ａ）（ｂ）において、各段の補助苗店６の平面形態を示すもので、育苗箱８１内でマット床状苗形態に育苗されたマット苗８２、又はこの育苗箱８１を受けることができる。マット苗８２を育苗箱８１のまま受けるときは、前記植付装置５の苗タンク２３へ供給するときは、この育苗箱８１からマット苗８２を取出して、マット苗８２のみ苗タンク２３へ供給する。予備苗載せ台６の左右両側縁部には、マット苗８２の苗床厚と略同高さの側壁８３が前後平行形態に形成されるが、この前半部には前端部から後側に亘って順次内側へ傾斜して張出す傾斜面１４を形成し、この傾斜面１４の後端に鋭角状の戻り止面１５を形成している。
【００７４】
これら傾斜面１４、及び戻り止面１５等を配置する左右両側部の側壁８３は、予備苗載せ台６の中央線Ｌに対して左右対象状に形成される。各予備苗載せ台６の前端縁には、中央部を後側へ窪ませて左右両側部を前側へ突出させた凹縁縁８４を形成し、後端縁には、中央部を後側へ突出させて，左右両側部を前側へ窪ませた凸曲縁８５を形成している。
【００７５】
これら各予備苗載せ台６の凹曲縁８４と、凸曲縁８５を、前後側から展開対向させて、接近接合させて、前後一連形態（展開形態Ｂ）に連接設定することにより、上側面に載せたマット苗８２（苗箱８１に収容されたままの形態でも可能）の前後移動を、前記傾斜面１４に案内させて予備苗載せ台６幅の中央部側へ寄せるようにして後側へ押し移動するように案内作用を、円滑に、正確に行わせることができる。
【００７６】
次に、主として図１４に基づいて、前記苗載せ支持枠３８上の予備苗載せ台６は、前側展開形態Ｂにした状態で、前記平行リンク６２を支持する支持アーム８４を、支持枠３８のアーム軸８５の周りに横方向８６へ旋回したり、前方向８７へ旋回することができるが、サイドフロア３７の前端部上には、前記支持アーム８４とは独立の旋回支持アーム８８を左右方向回動可能に設けて、各旋回支持アーム８８の上側の予備苗載せ台６を載せて、左右方向へ移送することができる。
【００７７】
図例では、左側の予備苗載せ台６を展開形態Ｂにして、外側端の予備苗載せ台６を畦Ｄ越しの路面Ｅ上にのぞませて、この路面Ｅ上からマット苗を予備苗載せ台６上面に載せて、走行車体２側の予備苗載せ台６に手押して移動（ｆ１）させる。左側の旋回支持アーム８８を畦Ｄ側へ回動して、予備苗載せ台６を前後に相接近させた状態で、このマット苗を旋回支持アーム８８上の予備苗載せ台６に載せ替える（ｆ２）。
【００７８】
また、右側の旋回支持アーム８８をこの前側へ接近させたておき、マット苗を左側予備苗載せ台６からこの右予備苗載せ台６上面に移動する（ｆ３）。更に、右側の予備苗載せ台６を前側展開形態Ｂにしておけば、この前側の予備苗載せ台６を右側旋回支持アーム８８上の予備苗載せ台６の端部に接近させて、マット苗の載せ替え（ｆ４）を行って、更に右側後側の予備苗載せ台６への移送（ｆ５）を順次に行うことができる。
【００７９】
このため、走行車体２の右側の予備苗載せ台６にマット苗を供給するときは、走行車体２の向きを変えなくても、又、作業者がマット苗を一枚毎土壌面ち歩くことなく、供給作業を速かに行うことができる。
【００８０】
次に、主として、図１５、図１６に基づいて、前記左右苗載せ支持枠３８の前側に位置する前支柱８９を、チューブ材等で、正面視Ｕ字状形態に形成して、このＵ字状底部に位置するフロントガード９０を走行車体２の前端部下部に位置させるように張出させて、左右苗載せ支持枠３８の前支柱８９間を、前側へ湾曲形成したフロントガード９０部で一体的に連結した形態に構成して、軽量，剛性的な構成で，左右両側部の重量予備苗載せ台６部の振動，揺動を少なくして，安定した支持形態とする。
【符号の説明】
【００８１】
２    走行車体
４    昇降リンク機構
５    植付装置
６    予備苗枠
７    傾斜センサ
８    昇降センサ
９    駆動モータ
１０  切替スイッチ
１１  エンジン
１２  セルスタータ（始動補助装置）
１３  押えハンドル
１４  傾斜面
１５  戻り止面
Ａ    積層形態
Ｂ    展開形態
Ｃ    後側展開形態
【図１】
2015223156.tif 000003
【図２】
2015223156.tif 000004
【図３】
2015223156.tif 000005
【図４】
2015223156.tif 000006
【図５】
2015223156.tif 000007
【図６】
2015223156.tif 000008
【図７】
2015223156.tif 000009
【図８】
2015223156.tif 000010
【図９】
2015223156.tif 000011
【図１０】
2015223156.tif 000012
【図１１】
2015223156.tif 000013
【図１２】
2015223156.tif 000014
【図１３】
2015223156.tif 000015
【図１４】
2015223156.tif 000016
【図１５】
2015223156.tif 000017
【図１６】
2015223156.tif 000018